(57)【要約】【課題】ＩＣタグを備えたプリント注文票を利用することにより、プリント注文票の利便性の向上を図る。【解決手段】ポストカードへの画像や文字のプリントを注文するためのスタッファ１には、ＩＣタグ２が貼付され、このＩＣタグ２に、ポストカードの差出人の氏名や連絡先、ポストカードに印刷するあいさつ文、ポストカードの受取人に関する情報等のプリント注文情報が記録される。【選択図】            図１
2004170843.tif 000002
【特許請求の範囲】
【請求項１】
画像のプリントを注文するためのプリント注文票において、
非接触で電子情報の読み書きが可能な記録媒体を備え、
前記記録媒体には、プリント注文情報が記録されていることを特徴とするプリント注文票。
【請求項２】
前記記録媒体に記録されたプリント注文情報には、プリントの注文者に関する情報が含まれることを特徴とする請求項１に記載のプリント注文票。
【請求項３】
前記プリントの注文は、前記画像を郵便はがきにプリントするための注文であり、前記記録媒体に記録されたプリント注文情報には、前記郵便はがきの受取人に関する情報が含まれることを特徴とする請求項１又は２に記載のプリント注文票。
【請求項４】
画像のプリントを注文するためのプリント注文票に備えられ、かつ、非接触で電子情報の読み書きが可能な記録媒体に、画像のプリント注文情報を記録することを特徴とする情報記録装置。
【請求項５】
前記記録媒体に記録されたプリント注文情報には、プリントの注文者に関する情報が含まれることを特徴とする請求項４に記載の情報記録装置。
【請求項６】
前記プリントの注文は、前記画像を郵便はがきにプリントするための注文であり、前記記録媒体に記録されたプリント注文情報には、前記郵便はがきの受取人に関する情報が含まれることを特徴とする請求項４又は５に記載の情報記録装置。
【請求項７】
画像のプリントを注文するためのプリント注文票に備えられ、かつ、非接触で電子情報の読み書きが可能な記録媒体から、プリント注文情報を読み取る情報読取装置と、
前記情報読取装置により読み取られたプリント注文情報に基づいて印刷用紙に印刷する印刷装置と、
を備えることを特徴とするプリントシステム。
【請求項８】
前記印刷用紙には、非接触で電子情報の読み書きが可能な記録媒体が備えられており、前記印刷用紙に備えられた記録媒体に、前記プリント注文情報の一部を記録する情報記録装置を備えることを特徴とする請求項７に記載のプリントシステム。
【発明の詳細な説明】
【０００１】
【発明の属する技術分野】
本発明は、プリント注文票、情報記録装置及びプリントシステムに関する。
【０００２】
【従来の技術】
近年、フィルムに記録された撮影画像や、ＣＤ−Ｒやメモリカード等のメディア（記録媒体）に記録された画像データを用いて、年賀状や暑中見舞い等のポストカード（郵便はがき）の作成や、オリジナルカレンダーの作成を行うプリントサービスが展開されている。プリント注文客は、スタッファと呼ばれるプリント注文票に必要事項を記入し、写真専門店や取次店の店頭にてプリント注文をすることができる（例えば、特許文献１参照。）。このスタッファには、プリントに使用可能な装飾図柄のサンプルが掲載されるとともに、客の氏名、連絡先、プリント枚数、使用する装飾図柄等の注文内容を記入するための記入フォームが設けられている。写真専門店や取次店でプリント注文が受け付けられると、スタッファは小規模現像所（以下、ミニラボと称す）や大ラボに預けられ、これらのラボにおいて、スタッファに記入された注文内容に基づいてプリントが行われる。
【０００３】
【特許文献１】
特開平６−１２３９２５号公報
【０００４】
【発明が解決しようとする課題】
しかしながら、上述のスタッファを用いたプリントサービスでは、ラボの作業者が、スタッファ上に手書きで記入された注文内容を目視で確認しながらプリント生成作業を行っていたため、作業ミスが生じやすく、客の注文とは異なるプリントが生成される可能性があるという問題があった。また、従来のプリントサービスでは、注文毎に新しいスタッファに必要事項を記入する仕組みになっていたため、客は、全ての注文に共通の内容（注文客の氏名や連絡先等）であっても注文毎に記入しなければならず、客にとってスタッファへの記入作業が面倒であるという問題があった。
【０００５】
本発明の課題は、ＩＣタグを備えたプリント注文票を利用することにより、プリント注文票の利便性の向上を図ることである。
【０００６】
【課題を解決するための手段】
本発明に係るプリント注文票は、画像のプリントを注文するためのプリント注文票において、非接触で電子情報の読み書きが可能な記録媒体を備え、前記記録媒体には、プリント注文情報が記録されていることを特徴としている。
【０００７】
また、本発明に係るプリント注文票は、前記記録媒体に記録されたプリント注文情報に、プリントの注文者に関する情報が含まれていることが好ましい。
【０００８】
また、本発明に係るプリント注文票は、前記画像を郵便はがきにプリントするための注文であり、前記記録媒体に記録されたプリント注文情報には、前記郵便はがきの受取人に関する情報が含まれることが好ましい。
【０００９】
この本発明に係るプリント注文票によれば、非接触で電子情報の読み書きが可能な記録媒体を備え、当該記録媒体にプリント注文情報が記録されていることにより、プリント注文票の利便性を向上させることができる。
【００１０】
本発明に係る情報記録装置は、画像のプリントを注文するためのプリント注文票に備えられ、かつ、非接触で電子情報の読み書きが可能な記録媒体に、画像のプリント注文情報を記録することを特徴としている。
【００１１】
また、本発明に係る情報記録装置によって前記記録媒体に記録される前記プリント注文情報には、プリントの注文者に関する情報が含まれることが好ましい。
【００１２】
また、前記プリントの注文は、前記画像を郵便はがきにプリントするための注文であり、本発明に係る情報記録装置によって前記記録媒体に記録される前記プリント注文情報には、前記郵便はがきの受取人に関する情報が含まれることが好ましい。
【００１３】
この本発明に係る情報記録装置によれば、プリント注文票に備えられた記録媒体に、プリント注文情報を記録することにより、プリント注文票の利便性を向上させることができる。
【００１４】
本発明に係るプリントシステムは、画像のプリントを注文するためのプリント注文票に備えられ、かつ、非接触で電子情報の読み書きが可能な記録媒体から、プリント注文情報を読み取る情報読取装置と、前記情報読取装置により読み取られたプリント注文情報に基づいて印刷用紙に印刷する印刷装置と、を備えることを特徴としている。
【００１５】
また、本発明に係るプリントシステムは、前記印刷用紙には、非接触で電子情報の読み書きが可能な記録媒体が備えられており、前記印刷用紙に備えられた記録媒体に、前記プリント注文情報の一部を記録する情報記録装置を備えることが好ましい。
【００１６】
この本発明に係るプリントシステムによれば、プリント注文票に備えられた記録媒体から、プリント注文情報を読み取り可能にしたことにより、客の注文通りの印刷を確実に行うことができる。
【００１７】
【発明の実施の形態】
以下、図を参照して本発明の実施の形態を詳細に説明する。
まず、本発明の実施の形態の構成を説明する。
【００１８】
図１は、本実施の形態のスタッファ１を示す図である。スタッファ１は、ポストカードへの画像や文字のプリントを注文するためのプリント注文票であり、図１に示すように、注文内容を記入するための注文内容記入エリア１ａと、プリントで使用可能な装飾図柄が掲載された図柄掲載エリア１ｂから構成され、注文内容記入エリア１ａの右中央には、非接触で電子情報の読み書きが可能な記録媒体であるＩＣタグ２が貼付されている。
【００１９】
注文内容記入エリア１ａの上部には、注文日の記入欄、図柄掲載エリア１ｂに掲載された図柄を指定するための品番の記入欄、ポストカードに使用する画像に関する情報の記入欄、プリント注文枚数の記入欄が設けられている。なお、ポストカードに使用する画像情報の記入欄には、原版の種類（フィルム、写真プリント、デジタル等）を指定する欄（図示略）が設けられているとともに、フィルムのコマＮｏ．、画像データ（原版がデジタルの場合）が格納されたフォルダ名及びファイル名の記入欄（図示略）が設けられている。
【００２０】
また、注文内容記入エリア１ａの中央部には、ポストカードの差出人に関する情報として、差出人の住所、氏名、年齢、電話番号（ＴＥＬ）、ＦＡＸ番号、電子メール（Ｅ−ｍａｉｌ）アドレスの記入欄が設けられている。なお、本実施の形態では、ポストカードの差出人と、プリントの注文者（以下、プリント発注者と称す）は同一人物であるものとする。
【００２１】
更に、差出人情報の記入欄の下には、ポストカードで用いるあいさつ文の記入欄が設けられている。更に、注文内容記入エリア１ａの下部には、ポストカードの受取人の氏名及び住所の記入欄が設けられている。注文内容記入エリア１ａの各記入欄には、所定数の文字枠（図示略）が設けられ、一枠内に一文字ずつ記入するようになっている。
【００２２】
図柄掲載エリア１ｂには、プリントで使用可能な複数の装飾図柄が印刷され、図柄毎に、図柄を識別するための品番（ＫＣ０１等）が印刷されている。
【００２３】
次に、スタッファ１を使用した注文受付システム１００の構成について説明する。図２は、スタッファ１を利用した注文受付システム１００の概略構成を示す図である。注文受付システム１００は、図２に示すように、本発明の情報記録装置に対応するリーダライタ３、注文受付装置４、スキャナ５、サーバ６により構成される。注文受付装置４は、リーダライタ３及びスキャナ５に接続されている。また、注文受付装置４は、通信ネットワークＮを介してサーバ６に接続されている。以下では、リーダライタ３、注文受付装置４及びスキャナ５は、写真専門店や取次店に設置され、サーバ６は、ミニラボに設置されているものとする。
【００２４】
ここで、通信ネットワークＮとは、例えば、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）等により構成される通信回線網であり、独立して構築された専用線、或いは一般の電話回線やデジタルデータを伝送可能なＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線等の公衆回線を複数有する。
【００２５】
次に、ＩＣタグ２と、リーダライタ３の内部構成について説明する。図３は、ＩＣタグ２の内部構成と、リーダライタ３の内部構成を示すブロック図である。ＩＣタグ２は、アンテナ２１、電源回路２２、送受信回路２３、制御回路２４、メモリ２５により構成される。
【００２６】
アンテナ２１は、コイルアンテナを備え、リーダライタ３から発信された電波信号を受信する。また、アンテナ２１は、送受信回路２３から入力された信号をリーダライタ３に送信する。
【００２７】
電源回路２２は、アンテナ２１を介してリーダライタ３から受信した電波を電力に変換し、ＩＣタグ２の各部への電源供給を行う。
【００２８】
送受信回路２３は、アンテナ２１を介してリーダライタ３から受信した信号を復調する。また、送受信回路２３は、制御回路２４によりメモリ２５から読み出された情報（信号）を変調増幅し、アンテナ２１に出力する。
【００２９】
制御回路２４は、送受信回路２３からの入力信号に応じて、メモリ２５への書き込み（記録）動作を行う。また、制御回路２４は、メモリ２５に記録された情報の読み出し動作を行い、読み出した情報（信号）の変調増幅を指示する信号を送受信回路１３に出力する。
【００３０】
メモリ２５は、制御回路２４による書き込み動作により各種情報を記憶している。メモリ２５に記録される内容は、図７の注文受付処理により記録されるプリント注文情報である。メモリ２５に記録されるプリント注文情報の記述形式としては、ＤＰＯＦ（Ｄｉｇｉｔａｌ  Ｐｒｉｎｔ  Ｏｒｄｅｒ  Ｆｏｒｍａｔ）やＰＰＭＬ（Ｐｅｒｓｏｎａｌｉｚｅｄ  Ｐｒｉｎｔ  Ｍａｒｋｕｐ  Ｌａｎｇｕａｇｅ）が適用可能である。
なお、ＩＣタグ２に適用される通信方式（電磁誘導方式、マイクロ波方式等）は特に限定されない。
【００３１】
次に、リーダライタ３の内部構成について説明する。リーダライタ３は、固定型又はハンディタイプのリーダライタであり、図３に示すように、アンテナ３１、送受信回路３２、制御回路３３、Ｉ／Ｆ部３４により構成される。
【００３２】
アンテナ３１は、ＩＣタグ２から送信された信号を受信する。また、アンテナ３１は、送受信回路３２から入力された信号を、ＩＣタグ２に送信する。
【００３３】
送受信回路３２は、ＩＣタグ２からアンテナ３１を介して受信した信号を復調する。また、送受信回路３２は、ＩＣタグ２に送信する信号を変調増幅し、アンテナ３１に出力する。
【００３４】
制御回路３３は、送受信回路３２からの入力信号を注文受付装置４に出力するための指示信号をＩ／Ｆ部３４に出力する。また、制御回路３３は、ＩＣタグ２に送信する信号の変調増幅を指示する信号を送受信回路３２に出力する。
【００３５】
Ｉ／Ｆ部３４は、注文受付装置４とリーダライタ３の間で通信を行うためのインターフェイスであり、例えば、ＵＳＢポートやＲＳ−２３２Ｃ端子等を備えている。
【００３６】
次に、図２の注文受付装置４の内部構成について説明する。図４は、注文受付装置４の内部構成を示すブロック図である。注文受付装置４は、図４に示すように、ＣＰＵ（Ｃｅｎｔｒａｌ  Ｐｒｏｃｅｓｓｉｎｇ  Ｕｎｉｔ）４１、表示部４２、操作部４３、通信部４４、記憶部４５、メディア入力部４６、Ｉ／Ｆ部４７により構成され、各部は、バス４８により接続されている。
【００３７】
ＣＰＵ４１は、記憶部４５に記憶されている各種制御プログラムに従って、注文受付装置４の各部の制御を実行する。
【００３８】
表示部４２は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、ＣＰＵ４１から入力される表示信号に従って、所要の表示処理を行う。
【００３９】
操作部４３は、テンキー、カーソルキー、各種ファンクションキー等を有し、キーの押下による操作信号をＣＰＵ４１に出力する。また、操作部４３は、ポインティングデバイスであるマウスを有し、マウスのクリック操作による操作信号をＣＰＵ１１に出力する。なお、操作部４３は、表示部４３の表示画面上を覆うように重畳して設けられたタッチパネルを含んだ構成としてもよい。このタッチパネルは、電磁誘導式、磁気歪式、感圧式等の座標読み取り原理でタッチ指示された座標を検出し、検出した座標を位置信号としてＣＰＵ４１に出力する。
【００４０】
通信部４４は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ  Ａｄａｐｔｅｒ）、ＬＡＮアダプタ等によって構成され、電話回線、ＩＳＤＮ回線、或いは専用線等の通信ネットワークＮを介して、外部機器との通信を行うための通信制御を行う。
【００４１】
記憶部４５は、プログラムやデータ等が予め記憶されている記録媒体（図示略）を有し、この記録媒体に、ＣＰＵ４１により実行される注文受付処理プログラム等の各種制御プログラム及びこれらの制御プログラムの実行時に利用されるデータ等を記憶する。
【００４２】
メディア入力部４６は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００４３】
Ｉ／Ｆ部４７は、注文受付装置４とリーダライタ３の間で通信を行うためのインターフェイスであり、例えば、ＵＳＢポートやＲＳ−２３２Ｃ端子等を備えている。
【００４４】
図２において、スキャナ５は、光源、ＣＣＤ（Ｃｈａｒｇｅｄ  Ｃｏｕｐｌｅｄ  Ｄｅｖｉｃｅ）、Ａ／Ｄコンバータ等により構成され、原稿台に載置された原稿に光源からの光を照射し、その反射光をＣＣＤにより電気信号（アナログ信号）に変換し、Ａ／Ｄコンバータにより、このアナログ信号をデジタルデータに変換する。
【００４５】
サーバ６は、注文受付装置４から通信ネットワークＮを介して受信した画像データを格納する。また、サーバ６は、ミニラボ内の端末（後述のＰＣ８等）から受信したプリント注文情報のデータを格納する。
【００４６】
図５は、ミニラボにおけるプリントシステム１０１の概略構成を示す図である。プリントシステム１０１は、図５に示すように、サーバ６（図２参照）、本発明の情報読取装置及び情報記録装置に対応するリーダライタ７、ＰＣ（ＰｅｒｓｏｎａｌＣｏｍｐｕｔｅｒ）８、印刷装置９により構成される。ＰＣ８は、リーダライタ７及び印刷装置９に接続される。また、ＰＣ８は、ＬＡＮ等の通信ネットワークを介してサーバ６に接続されている。
【００４７】
リーダライタ７は、スタッファ１に貼付されたＩＣタグ２へのデータの書き込みや、ＩＣタグ２からのデータの読み込みを行う。リーダライタ７は、図３に示したリーダライタ３と同一機能を有するため、ここでの詳細な説明は省略する。
【００４８】
次に、図５のＰＣ８の内部構成について説明する。図６は、ＰＣ８の内部構成を示すブロック図である。ＰＣ８は、図６に示すように、ＣＰＵ８１、表示部８２、操作部８３、Ｉ／Ｆ部８４、記憶部８５、通信部８６により構成され、各部は、バス８７により接続されている。
【００４９】
ＣＰＵ８１は、記憶部８５に記憶されている各種制御プログラムに従って、ＰＣ８の各部の制御を実行する。
【００５０】
このＣＰＵ８１は、リーダライタ７から受信したプリント注文情報のデータ及びサーバ６から取り込んだ画像データに基づいて、プリント生成のための制御信号を生成する。また、ＣＰＵ８１は、リーダライタ７から受信した注文情報のデータの一部（決済方法や受取人のデータ）に対し、ＰＧＰ（Ｐｒｅｔｔｙ  Ｇｏｏｄ  Ｐｒｉｖａｃｙ）等の暗号化処理を施す。
【００５１】
表示部８２は、ＬＣＤやＣＲＴ等により構成され、ＣＰＵ８１から入力される表示信号に従って、所要の表示処理を行う。
【００５２】
操作部８３は、テンキー、カーソルキー、各種ファンクションキー等を有し、キーの押下による操作信号をＣＰＵ８１に出力する。また、操作部８３は、ポインティングデバイスであるマウスを有し、マウスのクリック操作による操作信号をＣＰＵ１１に出力する。なお、操作部８３は、表示部８３の表示画面上を覆うように重畳して設けられたタッチパネルを含んだ構成としてもよい。このタッチパネルは、電磁誘導式、磁気歪式、感圧式等の座標読み取り原理でタッチ指示された座標を検出し、検出した座標を位置信号としてＣＰＵ８１に出力する。
【００５３】
Ｉ／Ｆ部８４は、ＰＣ８とリーダライタ７の間で通信を行うためのインターフェイスであり、例えば、ＵＳＢポートやＲＳ−２３２Ｃ端子等を備えている。
【００５４】
記憶部８５は、プログラムやデータ等が予め記憶されている記録媒体（図示略）を有し、この記録媒体に、ＣＰＵ８１により実行されるプリント生成処理プログラム等の各種制御プログラム及びこれらの制御プログラムの実行時に利用されるデータ等を記憶する。
【００５５】
通信部８６は、モデム、ターミナルアダプタ、ＬＡＮアダプタ等によって構成され、電話回線、ＩＳＤＮ回線、或いは専用線等の通信ネットワークを介して、外部機器との通信を行うための通信制御を行う。
【００５６】
図５において、印刷装置９は、ＰＣ８により印刷指示のあった画像を、電子写真方式やインクジェット方式等の印刷方式で、印刷用紙に印刷出力する。
【００５７】
次に、本実施の形態における動作を説明する。
まず、図７のフローチャートを参照して、注文受付システム１００において実行される注文受付処理について説明する。
【００５８】
プリント注文客が、必要事項を記入したスタッファ１と、プリントに使用する画像データが記録されたメディア又はプリント写真を持参して、写真専門店又は取次店の店頭でプリント注文の受付手続きを申し込んだとする。客がプリント写真を持参した場合は、スキャナ６の原稿台にそのプリント写真が載置される。客が、画像データが記録されたメモリカード等のメディアを持参した場合は、そのメディアが、注文受付装置４のメディア入力部４６に挿入される。
【００５９】
操作部４３の操作によって注文受付の指示が入力されると、表示部４２の表示画面上には、プリント注文情報を記入するための記入フォーム画面が表示される。この記入フォーム画面では、プリント注文情報の記述形式として、ＤＰＯＦが適用されているものとする。
【００６０】
次いで、操作部４３の操作によって、スタッファ１の注文内容記入エリア１ａに記入された画像情報に基づいて、プリントに使用する画像データの格納場所（フォルダ名、ファイル名）が指定されると、対応する画像データがメディア入力部４６から読み込まれる（ステップＳ１）。客がプリント写真を持参した場合は、スキャナ６の原稿台に載置されたプリント写真の画像データが読み込まれる。プリントに使用する画像データが読み込まれると、その読み込まれた画像データには、識別番号が付与され、その画像データの識別番号が、記入フォーム画面の画像情報の記入欄に記入される。
【００６１】
次いで、操作部４３の操作によって、記入フォーム画面上に、プリント注文情報が入力される（ステップＳ２）。ステップＳ２において入力されるプリント注文情報としては、スタッファ１の注文内容記入エリア１ａに記入された内容の他、プリント料金、プリント料金の決済方法（現金、クレジットカード、プリペイドカード等）、発送予定日時、仕上がり予定日時、キャンペーン情報、値引き情報、配送ルート、スタッファ１の識別番号等のデータ等がある。なお、スタッファ１の識別番号のデータは、ＩＣタグ２に予め記録されていてもよい。
【００６２】
ステップＳ２における注文内容の入力が終了すると、記入フォーム画面上に入力されたプリント注文情報のデータは、Ｉ／Ｆ部４７を介してリーダライタ３に送信される（ステップＳ３）。また、画像データ及びその識別番号のデータは、通信ネットワークＮを介してサーバ６に送信される（ステップＳ４）。プリント注文情報のデータは、リーダライタ３によって、スタッファ１に貼付されたＩＣタグ２に書き込まれ（記録され）（ステップＳ５）、本注文受付処理が終了する。
【００６３】
なお、図７に示した注文受付処理では、プリントに使用する画像データがサーバ６に送信されるようにしたが、ＩＣタグ２が、画像データを記録可能な容量を有している場合は、画像データをＩＣタグ２に記録するようにしてもよい。また、図７に示した注文受付処理では、画像データが読み込まれた後に、プリント注文情報が入力されるようにしたが、画像データの読み込みと、プリント注文情報の入力のタイミングは特に限定されない。
【００６４】
更に、プリント注文を受け付ける場所（プリントサービスの取次店等）に、リーダライタ３やスキャナ５が備えられていない場合、必要事項が記入されたスタッファ１と、画像データが記録されたメディア又は写真プリントを、図７の注文受付処理が実行可能な場所に送付し、その送付された場所で、図７の注文受付処理を実行するようにしてもよい。
【００６５】
次に、図８のフローチャートを参照して、プリントシステム１０１において実行されるプリント生成処理について説明する。
【００６６】
図７の注文受付処理によりプリント注文情報が記録されたＩＣタグ２が貼付されたスタッファ１が、ミニラボ内に持ち込まれたとする。まず、ＰＣ８からのタグの読み取り指示により、リーダライタ７によって、スタッファ１のＩＣタグ２に記録されたプリント注文情報のデータが読み取られ（ステップＳ１１）、その読み取られたプリント注文情報のデータは、ＰＣ８に送信される。ステップＳ１１で読み取られたプリント注文情報のデータは、記憶部８５に格納される。なお、このプリント注文情報のデータをサーバ６に送信し、サーバ６に格納させるようにしてもよい。
【００６７】
次いで、ＩＣタグ２から読み取られたプリント注文情報のデータから、画像データの識別番号のデータが抽出され、この識別番号に対応する画像データが、サーバ６から取り込まれる（ステップＳ１２）。
【００６８】
次いで、ＩＣタグ２から読み取られたプリント注文情報のデータ及びサーバ６から取り込まれた画像データに基づいて、プリント生成のための制御信号が生成され、印刷装置９に送信される。印刷装置９では、ＰＣ８からの制御信号に従って、切手面への宛先印刷、裏面（デザイン面）への画像の印刷や差出人印刷等が行われ（ステップＳ１３）、ポストカード１０が生産される。このポストカード１０には、予めＩＣタグ１１が貼付されている。なお、ステップＳ１３において、プリント発注者の控え用のＩＣタグ付きポストカードも発行するようにしてもよい。
【００６９】
ステップＳ１３における印刷が終了すると、ポストカードの生産が終了した旨を通知する情報（生産終了情報）のデータが、Ｉ／Ｆ部８４を介してリーダライタ７に送信される。この生産終了情報のデータは、リーダライタ７によって、スタッファ１のＩＣタグ２に書き込まれる（ステップＳ１４）。
【００７０】
次いで、ＩＣタグ２から読み取られたプリント注文情報のデータの中から、決済方法や受取人のデータ等、受取人には通知する必要のないデータが抽出され、この抽出したデータに対し、ＰＧＰ等の暗号化処理が施される（ステップＳ１５）。
【００７１】
そして、一部の情報が暗号化されたプリント注文情報のデータは、リーダライタ７に送信される。この一部の情報が暗号化されたプリント注文情報のデータは、リーダライタ７によって、ステップＳ１３において生産されたポストカード１０に貼付されたＩＣタグ１１に書き込まれ（ステップＳ１６）、本プリント生成処理が終了する。なお、スタッファ１のＩＣタグ２に記録されたデータの中から、ポストカード１０のＩＣタグ１１に記録するデータを選択できるようにしてもよい。
【００７２】
図８のプリント生成処理が終了すると、スタッファ１及び生産されたポストカード１０（プリント発注者控え用のポストカードを含む）をプリント発注者へ送付するための手続きが行われる。プリント発注者が、スタッファ１及び生産されたポストカード１０を取次店で受け取る場合は、指定された取次店への送付手続が行われる。また、このとき、スタッファ１のＩＣタグ２から取得したプリント注文情報のデータに従って、プリント料金の精算処理が行われる。
【００７３】
スタッファ１を受け取ったプリント発注者は、そのスタッファ１を利用して、後日、焼増し注文をすることができる。この場合、ＩＣタグ２に記録されたデータのうち、注文枚数、差出人の年齢等を変更（年齢のカウントアップ等）すればよい。なお、スタッファ１のＩＣタグ２には、複数年分のプリント発注の履歴を残すことが好ましい。このようにすると、ポストカードを発送した年と発送しなかった年の確認等が可能になる。
【００７４】
なお、プリントシステム１０１が、図９に示すようなスタッファ発行装置１２を備えている場合、ポストカード１０の生産後に、図９の▲１▼に示すように、ＰＣ８に接続されたスタッファ発行装置１２により、新しいスタッファ１αを発行し、この新スタッファ１αをプリント発注者に渡すようにしてもよい。新しいスタッファ１αには、ＩＣタグ２αが貼付され、最新の装飾図柄が印刷されているとともに、スタッファ１のＩＣタグ２から読み取られた情報のうち、差出人に関する情報（住所、氏名、年齢、電話番号、ＦＡＸ番号、電子メール）が印刷される。
【００７５】
また、ポストカード１０の生産後に、図９の▲２▼に示すように、スタッファ１のＩＣタグ２に記録されたデータを、最新の装飾図柄が掲載されたスタッファ１βのＩＣタグ２βに記録し、この新スタッファ１βをプリント発注者に渡すようにしてもよい。この場合、旧スタッファ１のＩＣタグ２に対して高電圧を印加するなどして、ＩＣタグ２に記録されたデータを破壊してもよい。このようにすると、旧スタッファ１のＩＣタグ２に記録されたデータの流出を防ぐことができる。
【００７６】
以上のように、本実施の形態のスタッファ１によれば、ＩＣタグ２が貼付されたことにより、スタッファ１の利便性を向上させることができる。また、プリント注文情報をリーダライタ３によってＩＣタグ２に書き込み、ＩＣタグ２に記録されたプリント注文情報に基づいてプリント生成を行うことにより、客の注文通りのプリントを確実に行うことができる。
【００７７】
また、スタッファ１のＩＣタグ２の記録された内容の一部を、焼増し注文時等に利用したり、ＩＣタグ２に記録された内容を必要に応じて更新したりすることができるため、スタッファ１を有効に利用することができる。
【００７８】
更に、ミニラボで生産されたポストカード１０にもＩＣタグ１１が貼付され、このＩＣタグ１１に、差出人情報等のデータが書き込まれるようにしたことにより、このポストカード１０を受け取った者は、ＩＣタグ１１に記録された差出人情報を用いて容易に住所録を作成することができる。
【００７９】
次に、図１０〜図１２を参照して、注文受付システム１００の変形例について説明する。なお、以下の説明において、上述の注文受付システム１００と同一の構成要素には同一の符号を付す。
【００８０】
＜変形例１＞
まず、図１０を参照して、変形例１の注文受付システム２００について説明する。上述の実施の形態では、スタッファ１に記入された注文内容を、写真専門店や取次店の店員による操作部４３の入力操作によって取得するようにしたが、変形例１では、注文内容のうちの一部（例えば、差出人に関するデータ、受取人に関するデータ等）又は全てが記録されたメディアから自動的に取得するものである。
【００８１】
図１０は、スタッファ１と、ポストカードの差出人の名刺１３及び受取人の名刺１５とを利用した注文受付システム２００を示している。図１０に示した注文受付システム２００の概略構成は、上述の注文受付システム１００と同一であるため、その構成説明は省略する。
【００８２】
図１０に示した差出人の名刺１３に貼付されたＩＣタグ１４には、ポストカードの差出人の氏名、住所、電話番号、ＦＡＸ番号、電子メールアドレス等のデータが記録されている。また、受取人の名刺１５に貼付されたＩＣタグ１６には、受取人の氏名、住所、電話番号、ＦＡＸ番号、電子メールアドレス等のデータが記録されている。
【００８３】
図１０の注文受付システム２００では、図７の注文受付処理のステップＳ２において、プリント注文情報のうち、ポストカードの差出人及び受取人に関する情報（氏名、住所、電話番号、ＦＡＸ番号、電子メールアドレス）は、ＩＣタグ１４及びＩＣタグ１６に記録されたデータをリーダライタ３により読み込むことによって入力される。
【００８４】
変形例１の注文受付システム２００によれば、ポストカードの差出人に関する情報を、差出人の名刺１３に貼付されたＩＣタグ１４から取得し、ポストカードの受取人に関する情報を、受取人の名刺１５に貼付されたＩＣタグ１６から取得可能にしたことで、プリント注文情報のうち、差出人や受取人に関する情報を入力する手間が省け、入力ミスを防ぐことができるとともに、注文受付の効率化を図ることができる。
【００８５】
なお、変形例１では、ポストカードの受取人に関する情報を、受取人の名刺１５に貼付されたＩＣタグ１６から取得するようにしたが、過去にその受取人から、図８のプリント生成処理によって生産されたポストカード（図５のポストカード１０）が送付されていた場合、図１０の▲２▼に示すように、そのポストカードに貼付されたＩＣタグから、受取人に関する情報を取得するようにしてもよい。また、図１０の▲１▼に示すように、差出人に関する情報が記録されたＩＣタグが貼付されたポストカード（例えば、プリント発注者の控え用のＩＣタグ付きポストカード）がある場合は、そのポストカードに貼付されたＩＣタグから、差出人に関する情報を取得するようにしてもよい。
【００８６】
＜変形例２＞
次に、図１１及び図１２を参照して、変形例２の注文受付システム３００について説明する。変形例２では、スタッファ１の注文内容記入エリア１ａに記入された内容をスキャナにより読み取ることによって注文内容を取得するものである。
【００８７】
図１１は、変形例２におけるスタッファ１を利用した注文受付システム３００の概略構成を示している。注文受付システム２００は、図１１に示すように、リーダライタ／スキャナ装置１７、注文受付装置４及びサーバ６により構成される。注文受付装置４は、リーダライタ／スキャナ装置１７に接続され、通信ネットワークＮを介してサーバ６に接続されている。図１１において、リーダライタ／スキャナ装置１７は、リーダライタ内蔵のフラットベッドスキャナである。
【００８８】
次に、図１２のフローチャートを参照して、注文受付システム３００において実行される注文受付処理について説明する。
【００８９】
プリント注文客が、必要事項を記入したスタッファ１と、画像が記録されたメディア又はプリント写真を持参して、写真専門店又は取次店の店頭でプリント注文の受付手続きを申し込んだとする。そのスタッファ１は、注文内容記入エリア１ａを下面にして、リーダライタ／スキャナ装置１７の原稿台に載置される。客がプリント写真を持参した場合は、リーダライタ／スキャナ装置１７の原稿台にそのプリント写真も載置される。客が、画像データが記録されたメモリカード等のメディアを持参した場合は、そのメディアがメディア入力部４６に挿入される。
【００９０】
操作部４３により、スタッファ１の注文内容記入エリア１ａに記入された画像情報に基づいて、プリントに使用する画像データの格納場所（フォルダ名、ファイル名）が指定されると、対応する画像データがメディア入力部４６から読み込まれる（ステップＳ２１）。客がプリント写真を持参した場合は、リーダライタ／スキャナ装置１７の原稿台に載置されたプリント写真の画像データが読み込まれる。プリントに使用する画像データが読み込まれると、その読み込まれた画像データには、識別番号が付与され、その画像データの識別番号は、記入フォーム画面の画像情報の記入欄に記入される。
【００９１】
次いで、リーダライタ／スキャナ装置１７から、スタッファ１の注文内容記入エリア１ａに記入された情報が読み取られると（ステップＳ２２）、読み取られたデータに基づいて文字認識が行われ（ステップＳ２３）、文字認識された情報が表示画面上に表示される。
【００９２】
次いで、店員により、スタッファ１の注文内容記入エリア１ａに記入された情報と、表示画面に表示された情報とが比較され、操作部４３の入力操作によって、記入フォーム画面上で、文字認識が正確に行われなかった部分が修正される（ステップＳ２４）。
【００９３】
次いで、操作部４３の入力操作によって、スタッファ１の注文内容記入エリア１ａに記入された情報以外のプリント注文情報が入力される（ステップＳ２５）。ステップＳ２５で入力される情報としては、スタッファ１に記入された内容の他、プリント料金、プリント料金の決済方法（現金、クレジットカード、プリペイドカード等）、発送予定日時、仕上がり予定日時、キャンペーン情報、値引き情報、配送ルート、スタッファ１の識別番号等のデータが入力される。なお、スタッファ１の識別番号のデータは、ＩＣタグ２に予め記録されていてもよい。
【００９４】
ステップＳ２５におけるプリント注文情報の入力が終了すると、記入フォーム画面上に入力されたプリント注文情報のデータは、Ｉ／Ｆ部４７を介してリーダライタ／スキャナ装置１７に送信される（ステップＳ２６）。また、画像データ及びその識別番号のデータは、通信ネットワークＮを介してサーバ６に送信される（ステップＳ２８）。
【００９５】
プリント注文情報のデータは、リーダライタ３によって、スタッファ１に貼付されたＩＣタグ２に書き込まれ（記録され）（ステップＳ２８）、本注文受付処理が終了する。
【００９６】
変形例２の注文受付システム３００によれば、リーダライタ／スキャナ装置１７により、スタッファ１の注文内容記入エリア１ａに記入された内容を読み取り可能にしたことで、プリント注文情報を入力する手間が省け、注文受付の効率化を図ることができる。
【００９７】
なお、変形例２の注文受付システム３００における注文受付処理は、注文受付システム１００（図２参照）及び２００（図１０参照）と同様のシステム構成においても実現可能である。すなわち、注文受付システム１００及び２００におけるスキャナ５により、スタッファ１の注文内容記入エリア１ａに記入された内容を読み取り、リーダライタ３により、プリント注文情報をスタッファ１のＩＣタグ２に書き込むことが可能である。
【００９８】
なお、上述の実施の形態における記述内容は、本発明の趣旨を逸脱しない範囲で適宜変更可能である。例えば、上述の実施の形態では、ＩＣタグがスタッファ１上やポストカード１０上に貼付されている場合を示したが、ＩＣタグがスタッファ１やポストカード１０を構成する紙の中に内包されるようにしてもよい。また、上述の実施の形態では、スタッファ１やポストカード１０に貼付（又は内包）されるタグとして、非接触型のものが適用される場合を示したが、本発明は、ＩＣカード付きのクレジットカードのように、接触型のものにも適用可能である。
【００９９】
【発明の効果】
本発明のプリント注文票によれば、非接触で電子情報の読み書きが可能な記録媒体を備え、当該記録媒体にプリント注文情報が記録されていることにより、プリント注文票の利便性を向上させることができる。
【０１００】
本発明の情報記録装置によれば、プリント注文票に備えられた記録媒体に、プリント注文情報を記録することにより、プリント注文票の利便性を向上させることができる。
【０１０１】
本発明のプリントシステムによれば、プリント注文票に備えられた記録媒体から、プリント注文情報を読み取り可能にしたことにより、客の注文通りの印刷を確実に行うことができる。
【図面の簡単な説明】
【図１】本発明のプリント注文票を適用したスタッファ１を示す図である。
【図２】本実施の形態における注文受付システム１００の概略構成を示す図である。
【図３】ＩＣタグ２の内部構成と、リーダライタ３の内部構成を示すブロック図である。
【図４】図２の注文受付装置４の内部構成を示すブロック図である。
【図５】ミニラボにおけるプリントシステム１０１の概略構成を示す図である。
【図６】図５のＰＣ８の内部構成を示すブロック図である。
【図７】図２の注文受付システム１００において実行される注文受付処理を示すフローチャートである。
【図８】図５のプリントシステム１０１で実行されるプリント生成処理を示すフローチャートである。
【図９】スタッファ１から、新しいスタッファ１α、１βを作成する仕組みを説明するための図である。
【図１０】本実施の形態の変形例１における注文受付システム２００の概略構成を示す図である。
【図１１】本実施の形態の変形例２における注文受付システム３００の概略構成を示す図である。
【図１２】図１１の注文受付システム３００において実行される注文受付処理を示すフローチャートである。
【符号の説明】
１    スタッファ
１ａ  注文内容記入エリア
１ｂ  図柄掲載エリア
２    ＩＣタグ
２１  アンテナ
２２  電源回路
２３  送受信回路
２４  制御回路
２５  メモリ
３    リーダライタ
３１  アンテナ
３２  送受信回路
３３  制御回路
３４  Ｉ／Ｆ部
４    注文受付装置
４１  ＣＰＵ
４２  表示部
４３  操作部
４４  通信部
４５  記憶部
４６  メディア入力部
４７  Ｉ／Ｆ部
５    スキャナ
６    サーバ
７    リーダライタ
８    ＰＣ
８１  ＣＰＵ
８２  表示部
８３  操作部
８４  Ｉ／Ｆ部
８５  記憶部
８６  通信部
９    印刷装置
１０  はがき
１１  ＩＣタグ
１２  スタッファ発行装置
１３  差出人の名刺
１４  ＩＣタグ
１５  受取人の名刺
１６  ＩＣタグ
１７  リーダライタ／スキャナ装置
１００、２００、３００  注文受付システム
１０１  プリントシステム
【図１】
2004170843.tif 000003
【図２】
2004170843.tif 000004
【図３】
2004170843.tif 000005
【図４】
2004170843.tif 000006
【図５】
2004170843.tif 000007
【図６】
2004170843.tif 000008
【図７】
2004170843.tif 000009
【図８】
2004170843.tif 000010
【図９】
2004170843.tif 000011
【図１０】
2004170843.tif 000012
【図１１】
2004170843.tif 000013
【図１２】
2004170843.tif 000014